(57)【要約】【課題】輪ゴムをつなぐ連結具は既にある。しかし、その用途は結束や輪ゴム掛けなどであり、輪ゴムを利用した連結玩具はない。    【解決手段】紐体を収納する保持空間と、その保持空間の周りを囲う保持軸と、紐体が保持空間に入る保持軸途中の入口部とで構成される連結核を有し、その連結核を内部に保留し収納する外層部を有し、外層部外側と連結核の間に輪ゴムが貫通するクレバス部を外層部に設けたことを特徴とする輪ゴムの連結玩具。【選択図】  図１
2015066165.tif 000002
【特許請求の範囲】
【請求項１】
紐体を収納する保持空間と、その保持空間の周りを囲う保持軸と、紐体が保持空間に入る保持軸途中の入口部とで構成される連結核を有し、その連結核を内部に保留し収納する外層部を有し、外層部外側と連結核の間に輪ゴムが貫通するクレバス部を外層部に設けたことを特徴とする輪ゴムの連結玩具。
【請求項２】
請求項１記載の連結玩具であって、外層部の一部に共鳴部を有することを特徴とする輪ゴムの連結玩具。
【発明の詳細な説明】
【技術分野】
【０００１】
本発明は輪ゴムとつなぐ連結玩具に関する。
【技術背景】
【０００２】
従来の連結具に環状部材の連結具がある。（例えば特許文献１を参照）
また、従来の紐中継具に紐孔カバーがある。（例えば特許文献２を参照）
【先行技術文献】
【特許文献】
【０００３】
【特許文献１】実開昭６２−２０２２９３号公報
【特許文献２】特開２０００−２３６９１２号公報
【発明の概要】
【発明が解決しようとする課題】
【０００４】
輪ゴムをつなぐ連結具は既にある。しかし、その用途は結束や輪ゴム掛けなどであり、輪ゴム利用の遊びを意識した連結玩具はない。
【課題を解決するための手段】
【０００５】
紐体を収納する保持空間と、その保持空間の周りを囲う保持軸と、紐体が保持空間に入る保持軸途中の入口部とで構成される連結核を有し、その連結核を内部に保留し収納する外層部を有し、外層部外側と連結核の間に輪ゴムが貫通するクレバス部を外層部に設けたことを特徴とする輪ゴムの連結玩具。
前記連結玩具であって、外層部の一部に共鳴部を有することを特徴とする輪ゴムの連結玩具。
【発明の効果】
【０００６】
従来の輪ゴム連結具は、連結している構造が見える。本発明では、その連結部分である連結核を内部に配置し、直接手には触れにくい。その状態で輪ゴムが連結されてゆく様を体験できることになり、内部の連結部分が一種のブラックボックスのままに連結ができるという不思議な感覚が生まれ、興味が増加する。本発明を使った遊びがユニークで楽しいものになる。連結する構造を見えにくくすることで、外層部に表現したいデザインが施せる。自然に近い表現ができ、遊びが楽しくなる。
【０００７】
内部の連結核は、さらに楽しさを増す構成を備える。輪ゴムは連結核保持空間に入る際に入口部と接触する。そのご接触しながら入口部を通過し、その瞬間に解き放たれた輪ゴムもしくは入口部から音が発生する。音によるコミュニケーションも図れ、また連結している本人は音を探りながら遊ぶことができ、玩具としてのおもしろさを向上させる。
また、一旦保持空間に入った輪ゴムは出にくい状態になることで、すでに連結した輪ゴムが外れることを気にすることなく、次の連結に移ることができる。立体成形が効率的なものとなる。
請求項２では、入口部を通過する音をより大きく効果的にするための共鳴部を備える。音をより意識した遊びとなり楽しさが増加する。
【０００８】
当発明は、輪ゴムの連結核を内部に備え、音の効果を演出する輪ゴム中継機能を備える。空中に次々と輪ゴムを連結する中継に利用してもよく、また輪ゴムにつないだ後に吊るしておき揺らしたりしてもよい。また複数の当発明を輪ゴムでつなぎ合わせ、引っ張ったり回転させたりしながら、その動きを楽しんでもよい。見栄えも自然で美しく、音というアクセントのある連結玩具である。幼児でも高齢者でも、ひとりであっても多くの人たちであっても、狭い場所でも広い場所でも、平面状でも空中でも水中でもできる、新しい健康的で創造的な遊びが実現できる。
【図面の簡単な説明】
【０００９】
【図１】本発明の連結方法のイメージ図。
【図２】本発明の例、周回のクレバス部、２本の輪ゴム連結の外観図。
【図３】本発明の例、図２の断面図。
【図４】本発明の例、連結核入口部の拡大図。    （ａ）ピック片を持つ入口部、図３の側面図    （ｂ）ピック片を持つ入口部、図３の背面図    （ｃ）保持空間へ突出した入口部の側面図
【図５】紐体が入口部を通過するイメージ図。    （ａ）紐体が入口部へ入る直前のイメージ図    （ｂ）紐体が入口部を通過しているイメージ図    （ｃ）紐体が入口部を通過した後のイメージ図
【図６】本発明の例、２つのクレバス部を持つ。    （ａ）断面図    （ｂ）２つのクレバス部、３本の輪ゴム連結のイメージ図。
【図７】本発明の例、連結核の種類。（ａ）複数の連結核を有する本発明の外観図（ｂ）連結核入口が輪ゴム挿入方向と反対である本発明の断面図
【図８】本発明の例、可動連結核。    （ａ）断面図    （ｂ）可動連結核のイメージ図
【図９】本発明の例、孔クレバス部。    （ａ）外観図    （ｂ）挿入補助具
【図１０】本発明の使用例。（ａ）空中積木（ｂ）連結玩具が接触する輪ゴム連結の使用例
【発明を実施するための形態】
【００１０】
以下、本発明である連結玩具の一実施形態を説明する。
まず、連結玩具の概要を説明する。
図１は、外形が球体の連結玩具であり、輪ゴムを連結する操作イメージ図である。連結玩具は周回のクレバス部を一本有している。輪ゴムを持つ手側では、輪ゴムを親指と人差し指との間で緊張させながら直線状とし、その輪ゴムの直線状の部分を紐体と呼び、紐体を連結玩具のクレバス部に嵌め込んでゆく。紐体は内部の連結核に到達し、連結核入口部を通過し、保持空間内に入る。
【００１１】
その後、輪ゴムと連結玩具を引っ張れば、連結核に輪ゴムが連結された状態となる。連結した輪ゴムに、さらに連結玩具を連結させてゆくことで、いろいろな形を作ることができる。平面的な形を含め空間利用の三次元的な形、即ち３Ｄ形状を作ることが可能となる。
外形やクレバス部の数や形状は様々あるが、いずれも連結核が内部にあるため、外層部が透明素材でなければ連結核全体を外から見ることはできず、また連結核全体を直接手で触れることも難しい。
【００１２】
図２は、周回のクレバス部から２本の輪ゴムが出ている。２本は別々の輪ゴムである。右方向と左方向に輪ゴムが引っ張り合い、連結玩具のバランスが取れているイメージ図である。空中を使って遊ぶ場合には、連結玩具のバランスは重要である。図２では、クレバス部がほぼ水平の状態でバランスを取っている。左右の軸を中心とした回転角度は、２本の輪ゴムの紐体が接している保持軸の接点形状、２本の紐体と接点との接触角度、接点から分れた２本の紐体の引っ張り力の違いなどによって、安定する角度が決まる。一旦連結した後に、接点の状態を微調整しても角度調整は難しい。
【００１３】
そのため、例えば連結玩具を水平で使いたい場合には、水平状態での重心位置が連結玩具の中心真下方向になるよう錘を入れる。デザイン上、連結玩具の方向を合わせたい場合などに効果がある。錘の増減ができる構造もよい。連結玩具の表面に、標準化された重さの錘が磁石により取り付けることができる構造であれば、整った３Ｄ形状を作ることが出来る。３Ｄ形状として後、揺らしたり回転したりして遊ぶ。その際にも錘は重要であり、動きに大きな影響を与える。遠心力や急加速、急減速などの力を与えた際の動きは、錘によって大きく変化する。錘を持たせることは遊びのおもしろさを増加させる。
【００１４】
図３は図２の断面図である。
球状の外郭を持つ外層部は上下それぞれを中空としており、中空とする内部の面で連結核を固定する。中空部分と周りを囲う壁が共鳴部であり、中空壁の材質や厚さ、形状により音響効果が変化する。連結核は逆Ｃ字型であり、左方向から紐体が入ってきたときに入口部が待ち受ける配置である。連結核は略円形の保持空間を有し、一旦中に入った紐体が十分に遊べる空間を確保している。一旦中に入った紐体は、入口部付近もしくは入口部と正反対付近を接点とし、連結玩具と輪ゴムの引っ張りに耐える。上下それぞれの中空部分は、共鳴部として入口部の通過音を大きくする。下には錘を配置している。
【００１５】
上下半球の隙間がクレバス部となる。左側隙間から入る紐体には、口広の入口部が待ち受ける。クレバス部は、外層部の表面では紐体が入りやすくしてある必要がある。例えば、紐体が引っ張られ線状となり、その線状のまま水平でクレバス部に入る場合、大きく上下方向に揺れる波形状などは、線状となった水平紐体を受け入れないため、クレバス部としてはよろしくない。まず、線状の紐体の一部受け入れるクレバス部があり、その後クレバス部に沿って紐体が内部に進む状態がよい。内部のクレバス部には多少の起伏があっても、紐体が沿って進むことができれば問題はない。
【００１６】
図３ではクレバス部入口と連結核入口との内部通路の間に起伏を持たせているが、紐体が内部に進むうえでは、クレバス部の内部面に触れながら進むため、問題はない。起伏を持たせると、紐体を内部に入れてゆく操作感が単調でなくなるため面白さが増え、またクレバス部から内部構造を見えなくする、目隠しする機能もある。
内部に起伏を持たせる場合は、紐体が引っ掛からないようにしておく必要がある。
【００１７】
図４は、入口部の拡大図である。
入口部は紐体が保持空間へ通り抜ける関所である。
クレバス部に従い挿入方向からきた紐体は、手による誘導の仕方やクレバス部の幅の取り方の違いにより、入口部以外の保持軸外側に突き当たることがある。その際でも紐体が入口部に誘われるよう、突き当たる可能性のある保持軸外側の形状は、入口部への誘導曲線状となっている。入口部は、紐体を受け入れやすくするために口広となっている。形状は保持空間方向になだらかな漏斗状であり、保持空間に近づくほど細く狭くなっている。
入口部の上側先端と下側先端とは接触、もしくは入ろうとする紐径よりも狭い幅、もしくは入ろうとする直線状の紐が接触せざるを得ない形状となっている。いずれも、紐の挿入を一旦阻止する。これは、紐が通過する瞬間の感触を手に伝えるためであり、瞬間の発生音を出すための形状であり、さらに保持空間から紐体が逆戻りしないための形状でもある。
【００１８】
図４（ａ）では、上側先端に紐体進行を阻止する板状のピック片を持っている。ギターピックが弦をはじき音が出るという構造を模し、ピック片はやや硬めの材質で薄い成形を施している。下側先端は、そのピック片を挟むように、ピック片の保持空間内側面よりも内側に出ている二股構造であり、保持空間の内部から見れば下側先端の奥にピック片が納まっている形状である。保持空間に入った紐体が保持軸の内側に沿って移動する場合、入口部先端から外に出にくい形状としているのである。即ち、保持空間内側を沿って移動する紐体が入口先端に差し掛かっても、下側先端に収納されたピック片に触れないということであり、触れないということは出るための取っ掛かりが取れないということになるからである。先端が二股であり、相手先端を囲い収納する形状であれば、一旦保持空間に入った輪ゴムは出にくい状態になるということである。
【００１９】
さて、紐体は入口部先端で阻止された状態から、さらに紐体を保持空間側に強く引き入れれば、やがて紐体は先端を通過し保持空間に入り込む。この理由は、強く引き込む力により、先端が保持空間側に押し出されるように曲がること、もしくは紐径が細くなることによる。いずれかもしくは双方の作用により、紐体が通過できる幅が確保されることになる。図５（ａ）にあるよう、紐体は先端接触部に触れながら、図５（ｂ）のようにピック片である先端を押し出しながら、紐径を細くしながら移動し、やがて図５（ｃ）のように保持空間に解放される。解放される瞬間にはピック片により紐体がはじかれる状態となり、音が発生する。
【００２０】
両端が接触する強度や近接する間隔幅などを決める条件は２つある。ひとつは、対象とする紐体が保持空間に入る際、引っ張り強度に対しどの程度まで径が細くなるかということである。断線しない程度の径の細さである。引っ張り強度を強くすると音が強く高くなる。引っ張り強度が弱い状態での通過音は鈍い。この紐体径の変化度合が、両端が接触する強度や近接する間隔幅などを決めるひとつの条件となる。
【００２１】
もうひとつの条件は連結核の両端の柔軟性である。紐体が通過できる程度にまで内側に曲がることができるのか、その変形度合いが条件となる。先端の材質や硬度、施す厚さや形状、紐体と接触する先端表面の凸凹形状の組み合わせを考慮した変形度合いが条件ということである。この場合も通過音を意識する。両端が接触する強度や近接する間隔幅などを決めるもうひとつの条件である。
先端は、両端を特定の強さで接触させる構造でも、接触させないまでも近接させた構造でもよい。
【００２２】
図４（ｃ）は、別形状の先端例である。保持空間内に上下の先端が突出しており、手を合わせるよう接触している。この形状とすることで、保持空間に入った紐体は、入口部の先端に位置づくことが難しくなり、一旦保持空間に入った紐体が出にくい状態となる。さらに紐体が触れた際に柔軟に曲がる突出最先端を持つことで、さらに出にくい状態となる。
【００２３】
図６（ａ）は、連結玩具の断面図例を示す。円周状の連結核を内部に有している。連結核の入口部は上方向からの上側先端を囲い収納するよう下側先端に抉られた溝を持つ。紐体は入る際、上側先端を内部に曲げつつ、抉られた溝の中を通過してゆく。紐体が通過した後は、上側先端が抉られた溝に収納されるように上側先端は復元力により戻るため、一旦保持空間に入った紐体は、保持空間の内側から上側先端に触れることはできない。紐体が入口部から出にくい構造としている。抉られている溝の最下部は、その下に配置されている共鳴部に開口している。このことにより、音が共鳴部に直接入ることになり音響に変化をもたらす。
【００２４】
クレバス部の目的は、連結前の紐体を連結核に到達させるための通路を確保する目的と、一旦連結した紐体をいろいろな方向に引っ張る際に、紐体が連結核から出る連結玩具表面の可動範囲を制限する目的の二つがある。主に、前者目的のクレバス部を挿入クレバス部とし、後者目的を連結クレバス部とし、クレバス部の作成例を図６（ｂ）で説明する。図６（ｂ）は図６（ａ）の内部を持つ連結玩具の外観図である。紐体を左方向から前後方向水平の挿入クレバス部に入れてゆく。右方向に進み、やがて内部の連結核入口部に到達する。共鳴部に開口している抉られた入口部を、先端を押しながら紐体が通過する。通過する瞬間には音を発する。その後、紐体を水平左方向に戻してゆく。保持軸で紐体の一旦が保持されているため、前後水平の挿入クレバス部に開いていた紐体は次第に近接してくる。近接した紐体を挿入クレバス部とこうさしている連結クレバス部に誘導する。連結クレバス部は、連結玩具の左側から上、右、下に連なる、四分の三周回をしている形状である。内側にある連結核保持軸が円周形状であり、それに保持軸から紐体が放射線状に外に引っ張れるよう、連結クレバス部も円周形状としている。連結核保持軸はほぼ同じ太さの円周であり、連結玩具の外形も球体である。連結核を中央に内蔵すれば、複数の連結された輪ゴムは、連結玩具にほぼ同じ深さで連結されることになり、これによりバランスのよい連結ができることになる。外観図では、３本の輪ゴムにより連結玩具が安定している状態を示す。
内部に配置する連結核の数や形状に合わせ、また連結核保持軸のいずれの部分を接点とするかの想定により、任意の数や形状のクレバス部を備えることができる。
【００２５】
図７（ａ）は、複数の連結核を持つ、大きく口を開いたクレバス部を持つ連結玩具の外観図である。中心周りに複数の連結核を有している。図７（ｂ）は、左方向からの挿入に対し、連結核入口部を右側に配置した例である。連結玩具表面のクレバス部形状は水平円周状としているが、クレバス部の内部は、紐体を、連結核の左側から上側に、さらに右側へ回り込み、その先下側に位置づく連結核入口部に誘導するような形状としている。クレバス部としては、操作者にとっては水平円周状のクレバス部を紐体が進んではいるが、内部では紐体を歪ませ、連結核入口部に導くという構造を持つ。連結玩具のユニークさのひとつである。
【００２６】
図８は、内部に収納される連結核が外層部に固着されていない例である。図８（ａ）は連結玩具断面図である。上側と下側との間に中心軸を持つ。その中心軸を取り囲むように固着されていないドーナツ状の可動連結核を持つ。クレバス部は連結玩具水平方向に周回している。可動連結核も水平方向となっている。可動連結核の入口部は、クレバス部からほぼ水平方向に入って来た紐体を入り込みやすい形状としている。可動連結核の上下幅の範囲で紐体を受け入れる形状を持つ。図８（ｂ）はドーナツ状の可動連結核の例である。左下から右上に、水平寄りに大きく傾いた斜め形状の長い口を設けている。長い入口は口広であり、内側に向かい谷状となっており、紐体が奥に入り込みやすい形状としている。紐体は、その長い斜め口で受け付けられ、内側方向へ進み、やがて保持空間に入る。保持軸と連結玩具中心軸との間には、紐体が動くことのできる空間が確保されている。一旦保持空間に入った紐体を外方向に引っ張った際には、可動連結核の断面を円筒状態としているため、紐体状態は上下に保持軸を挟む形状となる。そのため、大きく水平方向に倒れた斜め形状の入口部にあてがわれ合致することはない。即ち、一旦入った紐体が出にくい構造である。
可動連結核を持つことで、輪ゴムと連結玩具とが連結した状態でも、連結核と外層部が独立した動きが取れるという利点がある。
【００２７】
形状が孔状であるクレバス部を孔クレバス部とし、図９（ａ）はその孔クレバス部を持つ例である。内部の連結核につながった輪ゴムが特定方向の範囲にだけ紐が動く自由度を持たせたい場合、連結核から連結玩具表面までが例えば筒状の孔であると見栄え的に美しい。孔の奥には連結核がある。孔の奥にある連結核に輪ゴムをつなぐ方法としては、孔クレバス部の形状に合わせた図９（ｂ）の挿入補助具を使う。挿入補助具の先端で紐体を保持しながら孔クレバス部に入り、連結核入口部に到達し、さらに奥に押し込めば紐体は連結核入口部を通過し保持空間に入る。その後に挿入補助具を抜き取れば、連結玩具と輪ゴムが連結された状態となる。
【００２８】
外層部に外部連結機能を持つこともよい。
外層部に磁石が備わっていれば、３Ｄ成形をした後に連結玩具同志を磁石でつないだり反発させたりすることができる。全体形状の変化バリエーションが多くなり、楽しさが増す。吸盤や非電導体の電源コンセント形状とするのもよい。部屋空間を使って３Ｄ成形をする場合、部屋の柱やドア、窓などの固定部分を末端とすると都合がよい。吸盤またはコンセント形状の連結玩具を末端連結玩具とすることで、作業が効率的となる。
【００２９】
連結玩具に、メモや小物を取り付けるクリップを備えることも有用である。
球状の嵌合式の凹凸連結構造を持ってもよい。一旦嵌めこみを行えば連結玩具を回転させることができる。
外層部に、紐体を引っ張る角度や間隔などの目盛や文字を印刷しておけば、整然とした３Ｄ成形のガイドとなる。また、色や柄もしくは蛍光塗料でのデザインや、ＬＥＤと小型電池を内蔵することで、３Ｄアートやイルミネーションとして利用価値が高まる。また外層部への印刷やデザインは、成形後のシューティングゲームの的などとする際にも重宝する。
【００３０】
連結核の材質は様々なものが考えられる。各種の合成樹脂や天然木や竹材が考えられる。さらには金属でも構わない。外層材の素材としては、硬質ウレタンや硬質の紙材などでもよい。連結核の入口部はその形状と利用シーンにより、材質を選択すればよい。柔軟性と音質の面からの選択がよい。
連結玩具の製造方法としては、外層部と連結核とを別々に製作しその後に外層部の内側に連結核を収納しても、外層部と連結核を一体成形してもよい。３Ｄプリンターを使えば、可動連結核であっても外層部と同時に成形できる。
幼児から高齢者までの利用を考えれば、手や輪ゴムに触れる部分は鋭利な角ではないことが必要である。柔らかな曲線ややさしい手触りであることが特徴である。
輪ゴムに関しても、市販の規格サイズの輪ゴムはもとより、強度の強い大型の輪ゴム、色つきの輪ゴムなど、目的にあわせ選択をするとよい。
本発明は、輪ゴムの連結玩具としているが、一般の紐体であっても十分機能するものである。
【００３１】
本発明の連結玩具は、知育玩具として利用できる。平面的な創作から立体的な創作まで、知育玩具として大変有望である。玩具としての安全性確保も十分可能であり音感を刺激する道具となる。連結玩具に適当な色を施せば、さらに楽しい玩具となる。多くの子どもでひとつの大きな立体を作り上げることもでき、コミュニケーションツールとしても役立つ。３Ｄ成形後も動かすことの遊びもでき、手や指の運動ともなる。知育玩具として優れたものになる。
【００３２】
若者であっても用途は広い。音を楽しみながらの活動である。空想に合わせたアート創作ができ、創作後にはインテリアとなる。取り付けたい小物によるアレンジも可能である。メモやカードなどを取り付けるグッズにもなる。３Ｄ成形後に揺らしたり動かしたりすることを利用し、新しいゲームも可能である。蛍光塗料やＬＥＤにより、夜の星空、イルミネーションを醸しだすこともできる。
【００３３】
高齢者にとってもうれしい道具となる。体全体を使うこともでき健康的である。リハビリ道具としても利用できる。音が刺激になる。子ども達とのコミュニケーションに一役買うことにもなる。
連結核が内部にあり外層部を持つということは、連結部分を見えなくしたまま、つながるということである。連結構造がそのまま見えるものに比べ、自然のものに近い形状の連結玩具ができる。木に実っている状態の果実状の連結玩具、動物形状の連結玩具など、自然に模したデザインを施せば、高齢者のいやしになる。
【００３４】
図１０に連結玩具の使用例を示す。
図１０（ａ）は、空中積木としての使用例である。
連結玩具を多く空中につないだ後、必要な部分を磁石で連携しているイメージ図である。さまざまな３Ｄ形状の成形が可能である。空中でつなぐ遊びであるが、空中積木と呼ぶ。
図１０（ｂ）は、連結玩具が接触する輪ゴム連結の使用例である。
孔クレバス部を持つ連結玩具である。一方の連結玩具連結核ともう一方の連結核との距離が輪ゴム平常状態の長さよりも短い場合には、ふたつの連結玩具は孔クレバス部で接することになる。外観上は、ふたつの連結玩具がどのようにつながっているか、見えにくい。その状態で、ふたつの連結玩具を引っ張ったり、回転させたりして遊ぶことができる。動物の関節に模した遊びにもなる。
【産業上の利用可能性】
【００３５】
本発明に係る輪ゴムの連結玩具は工業的に量産することが可能であるため、産業上の利用可能性を有する。
【符号の説明】
【００３６】
１    連結玩具
２    輪ゴム
３    連結核
４    外層部
５    クレバス部
６    共鳴部
７    保持空間
８    保持軸
９    入口部
１０  錘
１１  突出最先端
１２  ピック片
１３  挿入クレバス部
１４  連結クレバス部
１５  可動連結核
１６  孔クレバス部
１７  挿入補助具
【図１】
2015066165.tif 000003
【図２】
2015066165.tif 000004
【図３】
2015066165.tif 000005
【図４】
2015066165.tif 000006
【図５】
2015066165.tif 000007
【図６】
2015066165.tif 000008
【図７】
2015066165.tif 000009
【図８】
2015066165.tif 000010
【図９】
2015066165.tif 000011
【図１０】
2015066165.tif 000012